(57)【要約】【課題】様々な車両挙動制御が作動した場合においてもレスポンス良く的確にドライバが車両限界を把握することができ、車両コントロールを行い易くする。【解決手段】各車輪の作用力検出センサ２７fl、２７fr、２７rl、２７rrで検出した力の値を基に、ヨーモーメント演算部３ｂでヨーモーメントと横力演算部３ｃで横力を演算する。また、ヨーモーメント、横力、車速、操舵角を基に前輪横すべり角演算部３ｄで前輪横すべり角を演算する。そして、ヨーモーメントと横力と前輪横すべり角を基に操舵反力トルク演算部３ｅで操舵反力トルクを演算し、反力モータ制御量演算部３ｆに出力して、反力モータ１０を駆動する。【選択図】図２
2006315452.tif 000002
【特許請求の範囲】
【請求項１】
ステアリングの操舵量と操舵輪の転舵量との関係を任意に設定自在な操舵機構を備えた車両の操舵制御装置において、
車両の各車輪に作用する力を検出する作用力検出手段と、
上記各車輪に作用する力を基に車両に作用するヨーモーメントを演算するヨーモーメント演算手段と、
上記各車輪に作用する力を基に車両に作用する横力を演算する横力演算手段と、
少なくとも上記ヨーモーメントと上記横力をパラメータとして操舵反力を演算する操舵反力演算手段と、
上記ステアリングに上記操舵反力を生じさせる操舵反力発生手段と、
を備えたことを特徴とする車両の操舵制御装置。
【請求項２】
ステアリングの操舵量と操舵輪の転舵量との関係を任意に設定自在な操舵機構を備えた車両の操舵制御装置において、
車両の各車輪に作用する力を検出する作用力検出手段と、
上記各車輪に作用する力を基に車両に作用するヨーモーメントを演算するヨーモーメント演算手段と、
上記各車輪に作用する力を基に車両に作用する横力を演算する横力演算手段と、
少なくとも上記ヨーモーメントと上記横力をパラメータとして操舵反力を演算する第１の操舵反力演算手段と、
少なくともヨーレートと横加速度をパラメータとして操舵反力を演算する第２の操舵反力演算手段と
上記第１の操舵反力演算手段で演算した操舵反力と上記第２の操舵反力演算手段で演算した操舵反力のどちらかを選択させる操舵反力選択手段と、
上記ステアリングに上記操舵反力選択手段で選択した操舵反力を生じさせる操舵反力発生手段と、
を備えたことを特徴とする車両の操舵制御装置。
【請求項３】
上記操舵反力は、上記パラメータに加え操舵輪の横すべり角を基に演算することを特徴とする請求項１又は請求項２記載の車両の操舵制御装置。
【請求項４】
上記操舵輪の横すべり角は、車速と操舵角と上記ヨーモーメントと上記横力に基づいて演算することを特徴とする請求項３記載の車両の操舵制御装置。
【請求項５】
上記操舵輪の横すべり角は、車速と操舵角と横加速度とヨーレートに基づいて演算することを特徴とする請求項３記載の車両の操舵制御装置。
【発明の詳細な説明】
【技術分野】
【０００１】
本発明は、ステアリングの操舵角と操舵輪の転舵角との関係を任意に設定自在な、所謂、ステアバイワイヤ方式による操舵機構の車両の操舵制御装置に関する。
【背景技術】
【０００２】
一般に、操舵反力は車両からドライバへのインフォメーションとして非常に重要である。これはドライバが操舵反力により、前輪タイヤの接地状態を判断しているためと考えられる。実際、パワーステアリングの無い車両におけるステアリングの反力はタイヤのセルフアライニングトルクをステアリングギヤ比で除算した大きさであり、且つ、セルフアライニングトルクは路面−タイヤ間の路面μの影響により大きく変化することが知られている。
【０００３】
例えば、特開２００４−１３０９６５号公報には、ヨーレート、横加速度、舵角、車速により前輪スリップ角を推定し、この前輪スリップ角を基に、車両の荷重移動や路面μの変化を考慮して種々の補正を行い、セルフアライニングトルクを推定する技術が開示されている。
【特許文献１】特開２００４−１３０９６５号公報
【発明の開示】
【発明が解決しようとする課題】
【０００４】
一方で、上述の特許文献１で推定するようなセルフアライニングトルクは、前輪に駆動力及び制動力が加わった場合にも変化する。従って、前輪に差動制限装置が取り付けられている場合や、制動力制御装置によるヨーモーメント制御の作動によっても大きく変化し、セルフアライニングトルクが必ずしも路面−タイヤ間の接地状態を反映する情報とはならない。そして、これら装置により車両限界が向上しているにもかかわらず、セルフアライニングトルクには、これらの情報が反映されないため、車両限界をドライバが把握しづらく、どこまで旋回可能なのかという判断が困難となり、特に限界付近での車両コントロールを難しいものにしている。また、上述の特許文献１では、前述のように推定したセルフアライニングトルクを基に、ステアバイワイヤ方式による操舵機構の操舵反力を付与するようになっているが、それらは複数のセンサと推定により求められるため、応答性が劣り、また、正確な値が得られない可能性もある。
【０００５】
本発明は上記事情に鑑みてなされたもので、様々な車両挙動制御が作動した場合においてもレスポンス良く的確にドライバが車両限界を把握することができ、車両コントロールを行い易くすることが可能な車両の操舵制御装置を提供することを目的とする。
【課題を解決するための手段】
【０００６】
本発明は、ステアリングの操舵量と操舵輪の転舵量との関係を任意に設定自在な操舵機構を備えた車両の操舵制御装置において、車両の各車輪に作用する力を検出する作用力検出手段と、上記各車輪に作用する力を基に車両に作用するヨーモーメントを演算するヨーモーメント演算手段と、上記各車輪に作用する力を基に車両に作用する横力を演算する横力演算手段と、少なくとも上記ヨーモーメントと上記横力をパラメータとして操舵反力を演算する操舵反力演算手段と、上記ステアリングに上記操舵反力を生じさせる操舵反力発生手段とを備えたことを特徴としている。
【発明の効果】
【０００７】
本発明による車両の操舵制御装置は、様々な車両挙動制御が作動した場合においてもレスポンス良く的確にドライバが車両限界を把握することができ、車両コントロールを行い易くすることが可能となる。
【発明を実施するための最良の形態】
【０００８】
以下、図面に基づいて本発明の実施の形態を説明する。  
図１及び図２は本発明の実施の第１形態を示し、図１はステアバイワイヤ方式による操舵機構を備えた車両の構成図、図２は操舵制御装置の機能ブロック図である。
【０００９】
図１において、符号１は自動車等の車両を示し、この車両１には、ステアバイワイヤ方式による電動パワーステアリング装置の操舵機構２と、この操舵機構２を制御する操舵制御装置３と、ヨーモーメント制御を行う制動力制御装置４が搭載されている。
【００１０】
操舵機構２は、ドライバからの操舵入力を行う操舵機構部５と、転舵輪である前輪７fl，７frを転舵させる転舵機構部６とを有し、これらが所定に連動制御されることにより、所謂、ステアバイワイヤ方式の電動パワーステアリング装置が実現される。
【００１１】
操舵機構部５は、操舵ハンドル８と、操舵ハンドル８に連結された操舵軸９と、操舵軸９の中途に同軸的に組み込まれた操舵反力発生手段としての反力モータ１０とを有して構成されている。反力モータ１０は後述する操舵制御装置３によって駆動制御され、反力モータ１０の駆動力は、操舵軸９を介して、操舵ハンドル８に伝達される。
【００１２】
転舵機構部６は、車体の左右方向に延びて配置されたラック軸１１と、このラック軸１１の両端にタイロッド１２fl，１２frを介してそれぞれ連結されたナックルアーム１３fl，１３frとを有して構成され、各ナックルアーム１３fl，１３frには前輪７fl，７frがそれぞれ連結されている。
【００１３】
ラック軸１１は、ハウジング１４を介して、車体の左右方向に移動自在に支持されている。このラック軸１１にはラックギヤ１５が設けられており、ラックギヤ１５にはピニオンギヤ１６が噛合されている。また、ピニオンギヤ１６にはピニオン軸１７が連結されており、このピニオン軸１７の中途には転舵モータ１８が同軸的に組み込まれている。転舵モータ１８は操舵制御装置３によって駆動制御され、転舵モータ１８の駆動力は、ピニオン軸１７、ピニオンギヤ１６、及び、ラックギヤ１５を介してラック軸１１に伝達され、前輪７fl，７frを転舵する。
【００１４】
尚、図中符号１９は、操舵軸９とピニオン軸１７との間に介装されるクラッチ機構部であり、このクラッチ機構部１９は、反力モータ１０や転舵モータ１８の故障時（フェール時）等に操舵制御装置３によって締結制御される。
【００１５】
一方、符号２０は車両のブレーキ駆動部を示し、このブレーキ駆動部２０には、ドライバにより操作されるブレーキペダルと接続されたマスターシリンダ（図示せず）が接続されている。そして、ドライバがブレーキペダルを操作するとマスターシリンダにより、ブレーキ駆動部２０を通じて、４輪７fl，７fr，７rl，７rrの各ホイールシリンダ２１fl，２１fr，２１rl，２１rrにブレーキ圧が導入され、これにより４輪にブレーキがかかって制動される。
【００１６】
ブレーキ駆動部２０は、加圧源、減圧弁、増圧弁等を備えたハイドロリックユニットで、上述のドライバによるブレーキ操作以外にも、後述する制動力制御装置４からの入力信号に応じて、各ホイールシリンダ２１fl，２１fr，２１rl，２１rrに対して、それぞれ独立にブレーキ圧を導入自在に構成されている。
【００１７】
次に、車両１に搭載される各センサ類について説明する。  
車両１には、各輪の車輪速ωfl，ωfr，ωrl，ωrrを検出する車輪速センサ２５fl，２５fr，２５rl，２５rr、各輪のアクスルハウジング２６fl，２６fr，２６rl，２６rrに埋設されて各輪に作用する力を検出する作用力検出センサ２７fl，２７fr，２７rl，２７rr、操舵角δｆを検出する舵角センサ２８、ラック軸１１のストローク位置ＳＲを検出するストローク位置センサ２９、ヨーレート（ｄφ／ｄｔ）を検出するヨーレートセンサ３０が設けられている。
【００１８】
そして、車輪速センサ２５fl，２５fr，２５rl，２５rrにより検出された各輪の車輪速ωfl，ωfr，ωrl，ωrrは、操舵制御装置３及び制動力制御装置４に入力される。
【００１９】
また、作用力検出センサ２７fl、２７fr、２７rl、２７rrは、作用力検出手段としてのものであり、例えば、特開平９−２２４０号公報に開示されるセンサであり、各車輪に作用する前後方向（以下、ｘ方向）、及び、左右方向（以下、ｙ方向）の各力をそれぞれのアクスルハウジング２６fl，２６fr，２６rl，２６rrに生じる変位量に基づき検出するものである。具体的には、作用力検出センサ２７flからはＦflx，Ｆflyが、作用力検出センサ２７frからはＦfrx，Ｆfryが、作用力検出センサ２７rlからはＦrlx，Ｆrlyが、作用力検出センサ２７rrからはＦrrx，Ｆrryが、それぞれ操舵制御装置３に入力される。
【００２０】
更に、舵角センサ２８により検出された操舵角δｆは、操舵制御装置３及び制動力制御装置４に入力され、ストローク位置センサ２９により検出されたストローク位置ＳＲは、操舵制御装置３に入力され、ヨーレートセンサ３０により検出されたヨーレート（ｄφ／ｄｔ）は、制動力制御装置４に入力される。
【００２１】
そして、各輪の車輪速ωfl，ωfr，ωrl，ωrr、操舵角δｆ、ヨーレート（ｄφ／ｄｔ）が入力される制動力制御装置４は、車両諸元を基に、例えば以下の如くヨーモーメント制御する。
【００２２】
目標ヨーレートの微分値、低μ路走行の予測ヨーレートの微分値および両微分値の偏差を算出し、また実ヨーレートと目標ヨーレートとの偏差を算出し、これらの値に基づいて、車両のアンダーステア傾向、或いは、オーバーステア傾向を修正する目標制動力を算出する。そして、車両のアンダーステア傾向を修正するためには旋回方向内側後輪を、オーバーステア傾向を修正するためには旋回方向外側前輪を制動力を加える制動輪として選択し、ブレーキ駆動部２０に制御信号を出力して選択車輪に目標制動力を付加して制動力制御する。
【００２３】
また、各輪の車輪速ωfl，ωfr，ωrl，ωrr、各車輪に作用する力Ｆflx，Ｆfly，Ｆfrx，Ｆfry，Ｆrlx，Ｆrly，Ｆrrx，Ｆrry、操舵角δｆ、ストローク位置ＳＲが入力される操舵制御装置３は、これら各センサの入力に基づいて操舵機構部５の反力モータ１０、及び、転舵機構部６の転舵モータ１８を駆動制御（ステアバイワイヤ制御）する。
【００２４】
すなわち、操舵制御装置３は、マイクロコンピュータとその周辺機器を中心に構成され、図２に示すように、車速演算部３ａ、ヨーモーメント演算部３ｂ、横力演算部３ｃ、前輪横すべり角演算部３ｄ、操舵反力トルク演算部３ｅ、反力モータ制御量演算部３ｆ、舵角制御量演算部３ｇ、転舵モータ制御量演算部３ｈを有して主要に構成されている。
【００２５】
車速演算部３ａは、車輪速センサ２５fl，２５fr，２５rl，２５rrから各輪の車輪速ωfl，ωfr，ωrl，ωrrが入力され、例えば、これらの平均を演算する（（ωfl＋ωfr＋ωrl＋ωrr）／４）ことにより車速Ｖを演算し、前輪横すべり角演算部３ｄと舵角制御量演算部３ｇに出力する。
【００２６】
ヨーモーメント演算部３ｂは、作用力検出センサ２７fl、２７fr、２７rl、２７rrから各車輪に作用する前後方向及び左右方向の力Ｆflx，Ｆfly，Ｆfrx，Ｆfry，Ｆrlx，Ｆrly，Ｆrrx，Ｆrryが入力される。そして、以下（１）式により、車両に作用するヨーモーメントＭｚを演算し、このヨーモーメントＭｚを前輪横すべり角演算部３ｄと操舵反力トルク演算部３ｅに出力する。すなわち、ヨーモーメント演算部３ｂはヨーモーメント演算手段として設けられている。  
Ｍｚ＝ｌｆ・（Ｆfly＋Ｆfry）−ｌｒ・（Ｆrly＋Ｆrry）
＋（ｄｆ／２）・（Ｆfrx−Ｆflx）＋（ｄｒ／２）・（Ｆrrx−Ｆrlx）  …（１）
ここで、ｌｆは車両の重心位置から前軸までの長さ、ｌｒは車両の重心位置から後軸までの長さ、ｄｆは前輪のトレッド、ｄｒは後輪のトレッドである。
【００２７】
横力演算部３ｃは、作用力検出センサ２７fl、２７fr、２７rl、２７rrから各車輪に作用する左右方向の力Ｆfly，Ｆfry，Ｆrly，Ｆrryが入力される。そして、以下（２）式により、車両に作用する横力Ｆｙを演算し、この横力Ｆｙを前輪横すべり角演算部３ｄと操舵反力トルク演算部３ｅに出力する。すなわち、横力演算部３ｃは横力演算手段として設けられている。  
Ｆｙ＝Ｆfly＋Ｆfry＋Ｆrly＋Ｆrry      …（２）
【００２８】
前輪横すべり角演算部３ｄは、舵角センサ２８から操舵角δｆが入力され、車速演算部３ａから車速Ｖが入力され、ヨーモーメント演算部３ｂからヨーモーメントＭｚが入力され、横力演算部３ｃから横力Ｆｙが入力される。
【００２９】
そして、以下の（３）式により車体の横すべり角βを演算し、この車体横すべり角βを用いて以下（４）式により前輪横すべり角βｆを演算して操舵反力トルク演算部３ｅに出力する。  
β＝∫（（１／Ｖ）・（Ｆｙ／ｍ）−∫（Ｍｚ／Ｉｚ）ｄｔ）ｄｔ  …（３）
ここで、ｍは車両質量、Ｉｚはヨー慣性モーメントである。  
βｆ＝β＋（ｌｆ／Ｖ）・∫（Ｍｚ／Ｉｚ）ｄｔ−δｆ  …（４）
【００３０】
尚、車体横すべり角βと前輪横すべり角βｆは、横加速度センサ（図示せず）からのセンサ値（ｄ２ｙ／ｄｔ２）、及び、ヨーレートセンサ３０からのセンサ値（ｄφ／ｄｔ）を用い、以下の（５）式と（６）式により演算しても良い。  
β＝∫（（（ｄ２ｙ／ｄｔ２）／Ｖ）−（ｄφ／ｄｔ））ｄｔ  …（５）
βｆ＝β＋（ｌｆ／Ｖ）・（ｄφ／ｄｔ）−δｆ    …（６）
【００３１】
このように、前輪横すべり角演算部３ｄで演算する前輪横すべり角βｆは、センサ情報を基に導出されるため、車両挙動制御装置（本実施の形態においては制動力制御装置４）の効果を含んだ値となる。
【００３２】
操舵反力トルク演算部３ｅは、ヨーモーメント演算部３ｂからヨーモーメントＭｚが入力され、横力演算部３ｃから横力Ｆｙが入力され、前輪横すべり角演算部３ｄから前輪横すべり角βｆが入力される。そして、まず、ヨーモーメントＭｚと横力Ｆｙがステアリング操作のみによって生じていると仮定して、以下の（７）式により等価的な前輪横力Ｆfyを算出する。  
Ｆfy＝（ｌｒ・Ｆｙ＋Ｍｚ）／（ｌｆ＋ｌｒ）    …（７）
【００３３】
次いで、以下の（８）式により操舵反力トルクＴｈを演算し、操舵反力トルクＴｈを反力モータ制御量演算部３ｆに出力する。  
Ｔｈ＝Ｋｈ・（∂Ｆfy／∂βｆ）    …（８）
ここで、Ｋｈはステアリングギヤ比等を考慮して予め設定される定数である。
【００３４】
このように、操舵反力トルクＴｈを演算することにより、各種車両挙動制御装置（本実施の形態においては制動力制御装置４）の影響を受けず、且つ、各種車両挙動制御装置による性能向上を反映したインフォメーションがドライバに伝えられるのである。
【００３５】
また、上述の（８）式で演算された操舵反力トルクＴｈは、前輪横すべり角βｆを考慮した値であるため、単純にＴｈ＝Ｋｈ・Ｆfyで演算する操舵反力トルクＴｈと比較して、横力変化をより詳細にドライバに伝えることができるようになっている。このように、操舵反力トルク演算部３ｅは、操舵反力演算手段としての機能を有している。  
反力モータ制御量演算部３ｆは、操舵反力トルク演算部３ｅから操舵反力トルクＴｈが入力され、この操舵反力トルクＴｈに基づいて反力モータ制御量を算出し、反力モータ１０を駆動制御する。
【００３６】
舵角制御量演算部３ｇは、舵角センサ２８から操舵角δｆが入力され、ストローク位置センサ２９からストローク位置ＳＲが入力され、車速演算部３ａから車速Ｖが入力される。そして、操舵角δｆを転舵輪である前輪７fl，７frの転舵角θｗとして伝達する伝達比Ｐｗ（＝δｆ／θｗ）の値を操舵角δｆと車速Ｖとに応じて予め設定しておいたマップを参照し、操舵角δｆ及び車速Ｖに応じた伝達比Ｐｗを設定する。こうして、設定した伝達比Ｐｗと操舵角δｆを基に、操舵角δｆを伝達比Ｐｗで除算して、その演算結果をラック軸１１の目標ストローク位置ＳＲｔとして設定する。そして、ストローク位置ＳＲと目標ストローク位置ＳＲｔを基に、転舵モータ１８に対する転舵制御量Ｔｗを、例えば以下の（９）式により求め、転舵モータ制御量演算部３ｈに出力する。
【００３７】
Ｔｗ＝Ｋｐ・（ＳＲｔ−ＳＲ）＋Ｋｄ・（ｄ（ＳＲｔ−ＳＲ）／ｄｔ）
＋Ｋｉ・∫（ＳＲｔ−ＳＲ）ｄｔ  …（９）
ここで、Ｋｐ、Ｋｄ、Ｋｉは定数である。
【００３８】
転舵モータ制御量演算部３ｈは、舵角制御量演算部３ｇから転舵制御量Ｔｗが入力され、この転舵制御量Ｔｗに基づいて転舵モータ制御量を算出し、転舵モータ１８を駆動制御する。
【００３９】
このように本実施の第１形態によれば、操舵反力トルクＴｈを、作用力検出センサ２７fl、２７fr、２７rl、２７rrからの力の値を基に求めたヨーモーメントＭｚ、及び、横力Ｆｙから演算するようにしているので、各種車両挙動制御（本実施の形態においては制動力制御装置４）が作動した場合においても、これらの影響を受けず、且つ、各種車両挙動制御装置による性能向上を反映したインフォメーションがドライバに伝えられ、的確にドライバが車両限界を把握することができ、車両コントロールを行い易くすることが可能となる。
【００４０】
また、操舵反力トルクＴｈの演算において、ヨーモーメントＭｚ、横力Ｆｙに加え、前輪横すべり角βｆをも考慮して演算するようにしているので、横力変化をより詳細にドライバに伝えることができるようになっている。
【００４１】
そして、操舵反力トルクＴｈは、複数のセンサによる推定値を基に得るのではなく、作用力検出センサ２７fl、２７fr、２７rl、２７rrからの力の値を基に設定されるので、応答性に優れ、また、誤差の少ない精度の良い値を設定することができる。
【００４２】
次に、図３及び図４は本発明の実施の第２形態を示し、図３はステアバイワイヤ方式による操舵機構を備えた車両の構成図、図４は操舵制御装置の機能ブロック図である。尚、本実施の第２形態は、ヨーモーメントと横力を基に操舵反力を演算するのみならず、ヨーレートと横加速度を基に操舵反力を演算できるようにして、これらの操舵反力をドライバの好みに応じて切り換えられるようにしたことが前記第１形態とは異なり、他の構成作用の部分は同様であるため、同じ符号を記し説明は省略する。
【００４３】
従って、図３に示すように、本実施の第２形態による操舵制御装置５０には、前述の第１形態で説明した各センサからの入力（各輪の車輪速ωfl，ωfr，ωrl，ωrr、各車輪に作用する力Ｆflx，Ｆfly，Ｆfrx，Ｆfry，Ｆrlx，Ｆrly，Ｆrrx，Ｆrry、操舵角δｆ、ストローク位置ＳＲ）に加え、ヨーレートセンサ３０からヨーレート（ｄφ／ｄｔ）が入力され、横加速度センサ５１から横加速度（ｄ２ｙ／ｄｔ２）が入力される。また、ドライバが好みの操舵反力トルク特性を選択する信号が、操舵反力選択手段としてのステアリングモード切換えスイッチ５２により入力される。
【００４４】
そして、図４に示すように、操舵制御装置５０は、車速演算部３ａ、ヨーモーメント演算部３ｂ、横力演算部３ｃ、前輪横すべり角演算部３ｄ、操舵反力トルク演算部（本実施の第２形態においては第１の操舵反力トルク演算部と読み替える：第１の操舵反力演算手段として設けられる）３ｅ、反力モータ制御量演算部３ｆ、舵角制御量演算部３ｇ、転舵モータ制御量演算部３ｈに加え、第２の操舵反力トルク演算部５０ａを有して構成されている。
【００４５】
前輪横すべり角演算部３ｄにより演算された前輪横すべり角βｆは、操舵反力トルク演算部３ｅに加え、第２の操舵反力トルク演算部５０ａに対しても出力される。
【００４６】
また、第１の操舵反力トルク演算部３ｅには、ステアリングモード切換えスイッチ５２から選択、或いは、非選択の信号が入力され、選択の信号が入力された場合には、第１の操舵反力トルク演算部３ｅで演算した操舵反力トルクＴｈを反力モータ制御量演算部３ｆに出力する。
【００４７】
第２の操舵反力トルク演算部５０ａは、第２の操舵反力演算手段として設けられ、ヨーレートセンサ３０からヨーレート（ｄφ／ｄｔ）が入力され、横加速度センサ５１から横加速度（ｄ２ｙ／ｄｔ２）が入力され、前輪横すべり角演算部３ｄから前輪横すべり角βｆが入力され、ステアリングモード切換えスイッチ５２から選択、或いは、非選択の信号が入力される。そして、以下の（１０）式により等価的な前輪横力Ｆfyを演算し、この等価的な前輪横力Ｆfyを前述の（８）式に適用して操舵反力トルクＴｈを演算し、ステアリングモード切換えスイッチ５２から選択の信号が入力された場合に、この第２の操舵反力トルク演算部５０ａで演算した操舵反力トルクＴｈを反力モータ制御量演算部３ｆに出力する。  
Ｆfy＝（ｌｒ・ｍ・（ｄ２ｙ／ｄｔ２）＋Ｉｚ・（ｄ２φ／ｄｔ２））
／（ｌｆ＋ｌｒ）    …（１０）
尚、この（１０）式で演算される等価的な前輪横力Ｆfyは、ヨーレートセンサ３０からのヨーレート（ｄφ／ｄｔ）、及び、横加速度センサ５１からの横加速度（ｄ２ｙ／ｄｔ２）により求められるため、各種車両挙動制御（本実施の形態においては制動力制御装置４）の効果が含まれた値となっている。
【００４８】
すなわち、ヨーレートセンサ３０からのヨーレート（ｄφ／ｄｔ）には、実挙動として顕れない情報は反映されない。従って、例えば、轍路やスプリットμ路においてステア若しくはヨーモーメント制御が行われた場合、前輪ステア情報などは操舵反力として反映されない。また、直進走行時など、第２の操舵反力トルク演算部５０ａで演算した操舵反力トルクＴｈの方が望ましい場合が考えられるため、走行条件によってドライバが選択できるようにするのである。尚、第１の操舵反力トルク演算部３ｅで演算した操舵反力トルクと第２の操舵反力トルク演算部５０ａで演算した操舵反力トルクＴｈの切り換えは、路面μ推定装置（図示しない）等で自動的に選択されるように構成しても良い。
【００４９】
このように本実施の第２形態によれば、前記第１形態で説明した効果に加え、ドライバの好みに応じた操舵反力特性を選ぶことができ、走行状態に合わせた、より的確な情報をドライバが得られるようになる。
【００５０】
尚、本実施の第１、第２形態では、車両挙動制御として制動力制御装置４を搭載した車両を例に説明したが、これに限ることなく、前輪の差動制限装置、左右輪間での駆動力配分を制御自在な左右駆動力配分制御装置等を搭載した車両であっても同様の効果を得ることができる。
【図面の簡単な説明】
【００５１】
【図１】本発明の実施の第１形態による、ステアバイワイヤ方式による操舵機構を備えた車両の構成図
【図２】同上、操舵制御装置の機能ブロック図
【図３】本発明の実施の第２形態による、ステアバイワイヤ方式による操舵機構を備えた車両の構成図
【図４】同上、操舵制御装置の機能ブロック図
【符号の説明】
【００５２】
１    車両
２    電動パワーステアリング装置の操舵機構
３    操舵制御装置
３ａ  車速演算部
３ｂ  ヨーモーメント演算部（ヨーモーメント演算手段）
３ｃ  横力演算部（横力演算手段）
３ｄ  前輪横すべり角演算部
３ｅ  操舵反力トルク演算部（操舵反力演算手段）
３ｆ  反力モータ制御量演算部
３ｇ  舵角制御量演算部
３ｈ  転舵モータ制御量演算部
４    制動力制御装置
５    操舵機構部
６    転舵機構部
７fl，７fr，7rl，７rr  車輪
８    操舵ハンドル
９    操舵軸
１０    反力モータ（操舵反力発生手段）
１８    転舵モータ
２５fl，２５fr，２５rl，２５rr  車輪速センサ
２７fl，２７fr，２７rl，２７rr  作用力検出センサ（作用力検出手段）
２８    舵角センサ
２９    ストローク位置センサ
３０    ヨーレートセンサ
【図１】
2006315452.tif 000003
【図２】
2006315452.tif 000004
【図３】
2006315452.tif 000005
【図４】
2006315452.tif 000006